(57)【要約】      （修正有）【課題】ビニールシートを骨組み材に固定する作業を行うと、その作業と同時に骨組み材に支柱が取り付けられるようにしたビニールハウス用防鳥糸取付具を提供する。【解決手段】開き口１１を有するシート取付部材と、シート取付部材に取り付けられた取付部から延び出て立ち上がった支柱５０とを備える支柱部材３０と、によって構成されている。シート取付部材は細長筒状に形成されている。シート取付部材は開き口１１を介してビニールハウスのロッド状の骨組み材に嵌着可能である。嵌着状態ではビニールシートがシート取付部材と骨組み材との間に挟み込まれる。【選択図】図１
0003178974.tif 000002
【実用新案登録請求の範囲】
【請求項１】
周方向１箇所に形成された全長に亘る開き口を介してビニールハウスのロッド状の骨組み材に嵌着可能で、嵌着状態ではビニールシートを上記骨組み材との間に挟み込んで固定する細長筒状のシート取付部材と、
このシート取付部材に取り付けられた取付部から延び出て上記シート取付部材から立ち上げられた支柱に防鳥糸の連結部を具備させてなる支柱部材と、
を有することを特徴とするビニールハウス用防鳥糸取付具。
【請求項２】
細長筒状の上記シート取付部材は、その内面が円形の外周断面形状を有する上記骨組み材を抱持可能な形状に形成された弾性を有する樹脂成形体でなり、上記支柱部材が、弾性を備えた線材によって形成されている請求項１に記載したビニールハウス用防鳥糸取付具。
【請求項３】
上記支柱部材は、その取付部が、上記シート取付部材の内面に沿って延びる横行線部と、この横行線部の一端を折り曲げて形成されて上記支柱に連設された前側折曲部と、上記横行線部の他端を折り曲げて形成された後側折曲部と、を備え、
上記前側折曲部が、上記シート取付部材の一端部に形成された凹入部に横倒れ阻止された状態で嵌合され、上記後側折曲部が、上記シート取付部材の他端部に形成された凹入部に横倒れ阻止された状態で嵌合されている請求項１又は請求項２に記載したビニールハウス用防鳥糸取付具。
【請求項４】
上記支柱部材は、その取付部の前側折曲部及び後側折曲部の両方が、上記横行線部の一端及び他端を折返し状に折り曲げて形成されていると共に、それらの前側折曲部及び後側折曲部が、上記シート取付部材の一端部と他端部とに各別に嵌合されている請求項３に記載したビニールハウス用防鳥糸取付具。
【考案の詳細な説明】
【技術分野】
【０００１】
本考案は、ビニールハウス用防鳥糸取付具、特に、ビニールハウスの骨組み材に被覆材としてのビニールシートを固定する機能を備えたシート取付部材に、防鳥糸を張設する機能を付与することにより構成されたビニールハウス用防鳥糸取付具に関する。
【背景技術】
【０００２】
農業用などに供されるビニールハウスは、パイプ材などの骨組み材を組み合わせて構成される骨組みの上に、被覆材としてのビニールシートを張設することによって構築されている。そして、この種のビニールハウスでは、鳥害防止対策として、ビニールハウスの屋根に釣り糸（テグス）などでなる防鳥糸を張ることが多々行われている（たとえば、特許文献１参照）。
【０００３】
図８には防鳥糸１を張ったビニールハウスＡを概略斜視図で例示してある。同図にはビニールハウスＡの屋根の頂部に位置している棟木２としての骨組み材の上に防鳥糸１が張られていて、その防鳥糸１は、棟木２から立ち上げられた支柱３に連結されている。
【０００４】
また、上掲の特許文献１には、鳥類忌避用糸状体張設用支柱が例示されていて、このものは図８に示した支柱３に相応している。特許文献１で提案されている支柱４を図９に示した。この支柱４は、スチール製の針金を曲げることにより作られていて、頂部にループ部５を備え、そのループ部５から下拡がり状に延び出た２本の脚部６のそれぞれの下端に輪状の屋根固定部７が形成されている。そして、屋根固定部７を骨組み材にビス止めすることができ、ループ部５にテグスなどの防鳥糸しての糸状体を固定することができるようになっている。
【先行技術文献】
【特許文献】
【０００５】
【特許文献１】実用新案登録第３０９８９８１号公報
【考案の概要】
【考案が解決しようとする課題】
【０００６】
しかしながら、従来の防鳥糸取付具は、ビニールハウスの骨組みの上にビニールシートを張設して固定する作業を行った後に、骨組み材に支柱を取り付ける作業を行うことを余儀なくされていた。そのため、ビニールシートを骨組み材に固定する作業と、骨組み材に支柱を取り付ける作業とを別々に行わざるを得なかったという煩わしさがあった。
【０００７】
また、上掲の特許文献１に見られるように、支柱４を骨組み材に固定するのにビス止めという手段が採用されていたため、取り付けのためのビスが余分に必要になるばかりか、支柱の取付作業が煩わしいという問題もあった。
【０００８】
本考案は、以上の状況や問題に鑑みてなされたものであり、ビニールシートを骨組み材に固定する作業を行うと、その作業と同時に骨組み材に支柱が取り付けられるような対策を講じることによって、ビニールシートを骨組み材に固定する作業と、骨組み材に支柱を取り付ける作業とを別々に行わざるを得なかったという従来の煩わしさを解消することのできるビニールハウス用防鳥糸取付具を提供することを目的とする。
【０００９】
また、本考案は、骨組み材に支柱を取り付けるのにビスを余分に用いる必要のないビニールハウス用防鳥糸取付具を提供することを目的とする。
【課題を解決するための手段】
【００１０】
本考案に係るビニールハウス用防鳥糸取付具は、周方向１箇所に形成された全長に亘る開き口を介してビニールハウスのロッド状の骨組み材に嵌着可能で、嵌着状態ではビニールシートを上記骨組み材との間に挟み込んで固定する細長筒状のシート取付部材と、このシート取付部材に取り付けられた取付部から延び出て上記シート取付部材から立ち上げられた支柱に防鳥糸の連結部を具備させてなる支柱部材と、を有する。ここで、ロッド状の骨組み材には、中実棒や中空パイプでなる骨組み材が含まれる。
【００１１】
このように構成されたビニールハウス用防鳥糸取付具によれば、シート取付部材をロッド状の骨組み材に嵌着することによってビニールシートを当該シート取付部材と骨組み材との間に挟み込んで固定すると、そのシート取付部材から立ち上がっている支柱が同時に骨組み材に取り付けられることになる。したがって、ビニールシートを骨組み材に固定する作業と骨組み材に支柱を取り付ける作業とを別々に行う必要がなくなる。
【００１２】
また、支柱部材の支柱が、シート取付部材に取り付けられた支柱部材の取付部から延び出てシート取付部材から立ち上げられていることにより、支柱を骨組み材にビス止めする必要がない。
【００１３】
本考案において、細長筒状の上記シート取付部材は、その内面が円形の外周断面形状を有する上記骨組み材を抱持可能な形状に形成された弾性を有する樹脂成形体でなり、上記支柱部材が、弾性を備えた線材によって形成されていることが望ましい。この構成のビニールハウス用防鳥糸取付具によれば、シート取付部材が弾性を有する樹脂成形体でなるので、シート取付部材を安価に製作することができるだけでなく、弾性を利用してシート取付部材を骨組み材に容易に嵌着することができ、しかも、樹脂成形体の弾性を増強することによって強固な嵌着状態を得やすいという利点がある。また、支柱部材が弾性を備えた線材によって形成されていることにより、その弾性を活用して防鳥糸に安定した張力を付与しておくことが可能になる。
【００１４】
本考案において、上記支柱部材は、その取付部が、上記シート取付部材の内面に沿って延びる横行線部と、この横行線部の一端を折り曲げて形成されて上記支柱に連設された前側折曲部と、上記横行線部の他端を折り曲げて形成された後側折曲部と、を備え、上記前側折曲部が、上記シート取付部材の一端部に形成された凹入部に横倒れ阻止された状態で嵌合され、上記後側折曲部が、上記シート取付部材の他端部に形成された凹入部に横倒れ阻止された状態で嵌合されていることが望ましい。この構成であれば、シート取付部材から立ち上がっている支柱の横倒れが、取付部を形成している横行線部の前側折曲部及び後側折曲部と、シート取付部材の一端部及び他端部に形成された凹入部と、の係合によって防止されるようになる。そのため、防鳥糸を張った支柱が倒れて防鳥糸による鳥害予防作用が損なわれてしまうという事態が未然に防止される。
【００１５】
本考案において、上記支柱部材は、その取付部の前側折曲部及び後側折曲部の両方が、上記横行線部の一端及び他端を折返し状に折り曲げて形成されていると共に、それらの前側折曲部及び後側折曲部が、上記シート取付部材の一端部と他端部とに各別に嵌合されている、という構成を採用しておくことが望ましい。この構成を採用することによりシート取付部材に支柱部材が位置決め状態で固定される。そのため、シート取付部材を骨組み材に嵌着するときに、支柱部材がシート取付部材から外れて位置ずれしたりすることがなくなって、骨組み材へのシート取付部材の固定作業及び骨組み材への支柱の取付作業を円滑かつ迅速に行うことができるようになる。
【考案の効果】
【００１６】
以上のように、本考案に係るビニールハウス用防鳥糸取付具によると、ビニールシートを骨組み材に固定する作業を行うと、その作業と同時に骨組み材に支柱が取り付けられることになるので、ビニールシートを骨組み材に固定する作業と、骨組み材に支柱を取り付ける作業とを別々に行う必要がなくなる。このことは、ビニールハウスを構築する作業の工期を短縮したり人手を削減したりすることに役立つ。また、骨組み材に支柱を取り付けるのにビスを余分に用いる必要がないので、それだけ支柱部材を容易にかつ安価に取り付けることができるようになる、という利点もある。
【図面の簡単な説明】
【００１７】
【図１】本考案の実施形態に係る防鳥糸取付具を斜め左方より見て示した概略斜視図である。
【図２】同取付具を斜め右方より見て示した概略斜視図である。
【図３】同取付具の縦断側面図である。
【図４】シート取付部材の組立手順を示した縦断側面図である。
【図５】骨組み材にビニールシートを固定する作業及び骨組み材に支柱を取り付ける作業の前段階を示した説明図である。
【図６】骨組み材にビニールシートを固定する作業及び骨組み材に支柱を取り付ける作業が行われた後の段階を示した説明図である。
【図７】骨組み材にビニールシートを固定する作業及び骨組み材に支柱を取り付ける作業が行われた後の段階を示した縦断側面図である。
【図８】防鳥糸を張ったビニールハウスを例示した概略斜視図である。
【図９】特許文献１に示されている支柱の斜視図である。
【考案を実施するための形態】
【００１８】
本考案に係るビニールハウス用の防鳥糸取付具の実施形態を以下に説明する。
図１はビニールハウス用防鳥糸取付具Ｇを斜め左方より見て示した概略斜視図、図２は同取付具Ｇを斜め右方より見て示した概略斜視図であり、図３は同取付具Ｇの縦断側面図である。
【００１９】
防鳥糸取付具Ｇは、周方向１箇所に開き口１１を有する細長筒状のシート取付部材１０を有する。このシート取付部材１０は弾性を備える樹脂成形体でなる。シート取付部材１０の内面は円弧状ないし馬蹄形状に形成されている。また、シート取付部材１０の長手方向の間隔を隔てた２箇所に肉厚部１２が備わり、これらの肉厚部１２には、図３に一部拡大して示したように溝部１３が設けられている。そして、その溝部１３に弾性を有するスチール製の線材でなる円弧状の締め輪２０が嵌合されている。この締め輪２０はシート取付部材１０に巻き付く形態で配備されていると共に、その締め輪２０の両端部に曲成された三角形状の係合部２１を、シート取付部材１０に一体に成形されている突起でなる係止部１４に係合させることによって、締め輪２０がシート取付部材１０から脱落することを防いでいる。シート取付部材１０に上記のように締め輪２０を装着しておくと、締め輪２０の弾性によってシート取付部材１０の開閉方向での弾性が増強されることになる。
【００２０】
シート取付部材１０に弾性を有するスチール製の線材でなる支柱部材３０が取り付けられている。図３に示したように、支柱部材３０は取付部４０と支柱５０とを備えている。取付部４０は、シート取付部材１０の内面に沿って延びる長尺の横行線部４１と、その横行線部４１の一端を折り曲げて形成された前側折曲部４２と、横行線部４１の他端を折り曲げて形成された後側折曲部４３とを備えていると共に、前側折曲部４２や後側折曲部４３はいずれも横行線部４１に対して折返し状に折り曲げて形成されている。そして、図３に併記したＩ部拡大図によって明らかなように、折返し状の前側折曲部４２が、シート取付部材１０の一端頂部に形成された凹入部１５に嵌合されていると共に、その前側折曲部４２が上記凹入部１５の形成箇所でシート取付部材１０の一端部に嵌合されている。これに対し、図３に併記したＩＩ部拡大図によって明らかなように、折返し状の後側折曲部４３も同様に、シート取付部材１０の他端頂部に形成された凹入部１６に嵌合されていると共に、その後側折曲部４３が上記凹入部１６の形成箇所でシート取付部材１０の他端部に嵌合されている。一方、支柱部材３０の支柱５０は、取付部４０の前側折曲部４２に連設されていて、取付部４０の横行線部４１に対して略直角をなす姿勢に保たれている。また、支柱５０の先端にはループ状の連結部５１が形成されていて、この連結部５１にはテグスなどの防鳥糸（不図示）を結束したり、巻き付けたり、挿通させたりすることができるようになっている。
【００２１】
支柱部材３０が上記の構成でシート取付部材１０に取り付けられていると、シート取付部材１０の２箇所の凹入部１５，１６に嵌合している取付部４０の前側折曲部４２や後側折曲部４３が、それらの凹入部１５，１６に係合して支柱５０の横倒れを阻止することに役立つ。また、折返し状に形成されている前側折曲部４２や後側折曲部４３が、シート取付部材１０の一端部及び他端部の２箇所に嵌合していることにより、支柱部材３０がシート取付部材１０から脱落することが阻止されている。
【００２２】
図４はシート取付部材１０の組立手順を示した縦断側面図である。図示手順では、支柱部材３０の取付部４０に形成されている後側折曲部４３を、シート取付部材１０の他端側の凹入部１６の形成箇所に係合させてから、その係合箇所付近を支点として支柱部材３０を矢印Ｐ１のように回動させる。このようにすると、支柱５０がシート取付部材１０の一端側の凹入部１５に嵌まり込んだ後、支柱５０や前側折曲部４２、さらには横行線部４１などが弾性変形しつつ、前側折曲部４２が凹入部１５に嵌合し、併せて、前側折曲部４２がシート取付部材１０の一端部に嵌合する。これにより、図３のようにシート取付部材１０に支柱部材３０が取り付けられる。
【００２３】
次に防鳥糸取付具Ｇを用いてビニールハウスの骨組み材にビニールシートを固定する作業及び骨組み材に支柱５０を取り付ける作業を説明する。
【００２４】
図５は上記各作業の前段階を示した説明図、図６は上記各作業が行われた後の段階を示した説明図であり、図７は上記各作業が行われた後の段階を示した縦断側面図である。
【００２５】
図５のように、骨組み材２の上に被覆材としてのビニールシート１００を配備し、その上に防鳥糸取付具Ｇを配備した後、同図矢印Ｄのように防鳥糸取付具Ｇのシート取付部材１０を押し下げてその開き口１１をビニールシート１００の上から骨組み材２に押し当て、さらに、シート取付部材１０をその弾性を活用して骨組み材２に押し込んで嵌着する。このようにすると、図６又は図７のように、骨組み材２とシート取付部材１０との間にビニールシート１００が挟み込まれてそのビニールシート１００が骨組み材２に固定されると同時に、シート取付部材１０が骨組み材２に取り付けられる。併せて、支柱５０がシート取付部材１０を介して骨組み材２に立上り姿勢で取り付けられる。
【００２６】
このようにした骨組み材２の長手方向の２箇所又はそれより多い複数箇所に支柱５０を取り付けた後、それらの支柱５０の連結部５１を利用してテグスなどの防鳥糸（不図示）を支柱５０に張る。
【００２７】
上記した実施形態に係るシート取付部材１０ではその開閉方向の弾性を締め輪２０によって増強してあるけれども、樹脂成形体でなるシート取付部材１０自体が十分に大きな弾性を有しているものである場合には、締め輪２０を省略することが可能である。
【符号の説明】
【００２８】
Ｇ  防鳥糸取付具
２  骨組み材
１０  シート取付部材
１１  開き口
１５  凹入部
１６  凹入部
３０  支柱部材
４０  取付部
４１  横行線部
４２  前側折曲部
４３  後側折曲部
５０  支柱
５１  連結部
１００  ビニールシート
【図１】
0003178974.tif 000003
【図２】
0003178974.tif 000004
【図３】
0003178974.tif 000005
【図４】
0003178974.tif 000006
【図５】
0003178974.tif 000007
【図６】
0003178974.tif 000008
【図７】
0003178974.tif 000009
【図８】
0003178974.tif 000010
【図９】
0003178974.tif 000011